【手続補正書】
【提出日】平成30年2月5日(2018.2.5)
【手続補正１】
【補正対象書類名】特許請求の範囲
【補正対象項目名】全文
【補正方法】変更
【補正の内容】
【特許請求の範囲】
【請求項１】
中継ユーザデバイスが少なくとも一つの他のユーザ通信デバイスとの中継コネクションを有していない場合に、前記中継ユーザデバイスとの通信に対するデータスループットを制御するための第１のパラメータを特定する第１の設定データを、生成し、
前記中継ユーザデバイスが少なくとも一つの他のユーザ通信デバイスとの中継コネクションを有する場合には、前記中継ユーザデバイスとの通信に対するデータスループットを制御するための第２のパラメータを特定する第２の設定データを、生成する生成手段と、
前記中継ユーザデバイスとの通信を管理するために、前記第１及び第２の設定データを他のネットワークノードへ伝送するトランシーバ回路と、
を備えたコアネットワークノード。
【請求項２】
前記第１のパラメータは、前記中継ユーザデバイスが少なくとも一つの他のユーザ通信デバイスとの中継コネクションを有していない場合に、前記中継ユーザデバイスとの通信に対するデータスループットの総量を制御するためのパラメータを、含み、
前記第２のパラメータは、前記中継ユーザデバイスが少なくとも一つの他のユーザ通信デバイスとの中継コネクションを有する場合に、前記中継ユーザデバイスとの通信に対するデータスループットの総量を制御するための前記第１のパラメータの更新版（ｕｐｄａｔｅｄ ｖｅｒｓｉｏｎ）を、含む、
ことを特徴とした請求項１に記載のコアネットワークノード。
【請求項３】
前記他のネットワークノードは、基地局であり、
前記生成手段は、前記第２のパラメータを、
ｉ）前記中継ユーザデバイスをサーブする各アクセスポイントを介した前記中継ユーザデバイスに対する許容された非中継（ｎｏｎ−ｒｅｌａｙｅｄ）データスループット全ての合計と、前記中継ユーザデバイスに対する通信用の許容された非中継データスループットの総量との内で小さい方のものと、
ｉｉ）前記中継ユーザデバイスをサーブする各アクセスポイントを介した前記中継ユーザデバイスに対する許容された被中継（ｒｅｌａｙｅｄ）データスループットの合計と、前記中継ユーザデバイスに対する通信用の許容された被中継データスループットの総量との内で小さい方のものと、
の和として生成する、
ことを特徴とした請求項１又は２に記載のコアネットワークノード。
【請求項４】
前記生成手段は、前記第２のパラメータを以下の式を用いて生成し、
2017514320.tif 000001
ＵＥ−ＡＭＢＲは、前記第２のパラメータであり、ＨＳＳ＿ＡＰＮ−ＡＭＢＲは、特定のアクセスポイントを介した前記中継ユーザデバイスに対する許容された非中継データスループットであり、ＨＳＳ＿ＵＥ−ＡＭＢＲは、前記中継ユーザデバイスに対する通信用の許容された非中継データスループットの総量であり、ＨＳＳ＿ＡＰＮ−Ｒｅｌａｙ−ＡＭＢＲは、特定のアクセスポイントを介した前記中継ユーザデバイスに対する許容された被中継データスループットであり、ＨＳＳ＿ＵＥ−Ｒｅｌａｙ−ＡＭＢＲは、前記中継ユーザデバイスに対する通信用の許容された被中継データスループットの総量である、
ことを特徴とした請求項３に記載のコアネットワークノード。
【請求項５】
前記第１のパラメータは、前記中継ユーザデバイスが少なくとも一つの他のユーザ通信デバイスとの中継コネクションを有していない場合に、前記中継ユーザデバイスとの通信に対するデータスループットの総量を制御するためのパラメータを、含み、
前記第２のパラメータは、前記中継ユーザデバイスとの通信に対する被中継データスループットを制御するためのものであるが、非中継データスループットを制御するためのものでは無い専用（ｄｅｄｉｃａｔｅｄ）パラメータを、含む、
ことを特徴とした請求項１に記載のコアネットワークノード。
【請求項６】
前記他のネットワークノードは、基地局であり、
前記生成手段は、
前記中継ユーザデバイスをサーブする各アクセスポイントを介した前記中継ユーザデバイスに対する許容された被中継データスループットの合計と、
前記中継ユーザデバイスに対する通信用の許容された被中継データスループットの総量と、
の内で小さい方のものを選択することによって、前記第２のパラメータを生成する、
ことを特徴とした請求項１又は５に記載のコアネットワークノード。
【請求項７】
前記生成手段は、前記第２のパラメータを以下の式を用いて生成し、
2017514320.tif 000002
ＵＥ−Ｒｅｌａｙ−ＡＭＢＲは、前記第２のパラメータであり、ＨＳＳ−ＡＰＮ−Ｒｅｌａｙ−ＡＭＢＲは、特定のアクセスポイントを介した前記中継ユーザデバイスに対する許容された被中継データスループットであり、ＨＳＳ＿ＵＥ−Ｒｅｌａｙ−ＡＭＢＲは、前記中継ユーザデバイスに対する通信用の許容された被中継データスループットの総量である、
ことを特徴とした請求項６に記載のコアネットワークノード。
【請求項８】
前記トランシーバ回路は、ＨＳＳ（ｈｏｍｅ ｓｕｂｓｃｒｉｂｅｒ ｓｅｒｖｅｒ）から、特定のアクセスポイントを介した前記中継ユーザデバイスに対する許容された被中継データスループット（ＨＳＳ−ＡＰＮ−Ｒｅｌａｙ−ＡＭＢＲ）を特定する情報と、前記中継ユーザデバイスに対する通信用の許容された被中継データスループットの総量を特定する情報と、を受信する、
ことを特徴とした請求項３〜７のいずれか一項に記載のコアネットワークノード。
【請求項９】
前記他のネットワークノードは、アクセスポイントであり、
前記生成手段は、前記第２のパラメータを、
ｉ）前記アクセスポイントを介した前記中継ユーザデバイスに対する許容されたネイティブ（ｎａｔｉｖｅ）データスループットと、
ｉｉ）前記アクセスポイントを介した前記中継ユーザデバイスに対する許容された追加的なデータスループットと、
の和として生成し、
ネイティブデータは、前記中継ユーザデバイスにより発せられるか、又は前記中継ユーザデバイス宛てのデータである、
ことを特徴とした請求項１又は５に記載のコアネットワークノード。
【請求項１０】
前記生成手段は、前記第２のパラメータを以下の式を用いて生成し、
2017514320.tif 000003
ＡＰＮ−ＡＭＢＲは、前記第２のパラメータであり、ＨＳＳ＿ＡＰＮ−ＡＭＢＲは、前記アクセスポイントを介した前記中継ユーザデバイスに対する許容されたネイティブデータスループットであり、ＨＳＳ＿Ｅｘｔｒａ−ＡＰＮ−ＡＭＢＲは、前記アクセスポイントを介した前記中継ユーザデバイスに対する許容された追加的なデータスループットである、
ことを特徴とした請求項９に記載のコアネットワークノード。
【請求項１１】
前記トランシーバ回路は、ＨＳＳ（ｈｏｍｅ ｓｕｂｓｃｒｉｂｅｒ ｓｅｒｖｅｒ）から、前記アクセスポイントを介した前記中継ユーザデバイスに対する許容された追加的なデータスループット（ＨＳＳ＿Ｅｘｔｒａ−ＡＰＮ−ＡＭＢＲ）を特定する情報を、受信する、
ことを特徴とした請求項１０に記載のコアネットワークノード。
【請求項１２】
前記第２の設定データは、前記中継ユーザデバイスが少なくとも一つの他のユーザ通信デバイスとの中継コネクションを有する場合に、前記中継ユーザデバイスとの通信に対する非中継（ネイティブ）データスループットを制御するためのものであるが、被中継（非ネイティブ）データスループットを制御するためのものでは無い更なるパラメータを、特定する、
ことを特徴とした請求項５〜１１のいずれか一項に記載のコアネットワークノード。
【請求項１３】
前記第２の設定データは、前記中継ユーザデバイスが少なくとも一つの他のユーザ通信デバイスとの中継コネクションを有する場合に、前記中継ユーザデバイスとの通信に対する非中継（ネイティブ）データスループット及び被中継（非ネイティブ）データスループットの両者を制御するため更なるパラメータを、特定する、
ことを特徴とした請求項５〜１１のいずれか一項に記載のコアネットワークノード。
【請求項１４】
前記中継ユーザデバイスを介した中継コネクションの有無を判定する判定手段、をさらに備え、
前記トランシーバ回路は、前記他のネットワークノードに対し、
前記判定手段が前記中継ユーザデバイスを介した中継コネクションが存在しないと判定した場合に、前記第１の設定データを送信し、
前記判定手段が前記中継ユーザデバイスを介した中継コネクションが存在すると判定した場合に、前記第２の設定データを送信する、
ことを特徴とした請求項１〜１３のいずれか一項に記載のコアネットワークノード。
【請求項１５】
前記第２の設定データは、
前記中継ユーザデバイスが少なくとも一つの他のユーザ通信デバイスとの中継コネクションを有していない場合に、前記中継ユーザデバイスに対する通信用のダウリンクデータスループットを制御するための第２のパラメータ、及び
前記中継ユーザデバイスが少なくとも一つの他のユーザ通信デバイスとの中継コネクションを有していない場合に、前記中継ユーザデバイスに対する通信用のアップリンクデータスループットを制御するための第２のパラメータ、
の少なくとも一方を特定する、
ことを特徴とした請求項１〜１４のいずれか一項に記載のコアネットワークノード。
【請求項１６】
コアネットワークと、少なくとも一つの他のユーザデバイスに対するデータを中継する中継ユーザデバイスとの間の通信を支援する基地局装置であって、
前記コアネットワーク及び前記中継ユーザデバイスと通信するトランシーバ回路と、
前記中継ユーザデバイスとの通信を管理する制御モジュールと、を備え、
前記トランシーバ回路は、前記コアネットワークから、
前記中継ユーザデバイスが少なくとも一つの他のユーザ通信デバイスとの中継コネクションを有していない場合に、前記中継ユーザデバイスとの通信に対するデータスループットを制御するための第１のパラメータを特定する第１の設定データを、受信し、
前記中継ユーザデバイスが少なくとも一つの他のユーザ通信デバイスとの中継コネクションを有する場合には、前記中継ユーザデバイスとの通信に対するデータスループットを制御するための第２のパラメータを特定する第２の設定データを受信し、
前記制御モジュールは、前記中継ユーザデバイスとの通信を、
前記中継ユーザデバイスが少なくとも一つの他のユーザ通信デバイスとの中継コネクションを有していない場合に、前記第１のパラメータに基づいて管理し、
前記中継ユーザデバイスが少なくとも一つの他のユーザ通信デバイスとの中継コネクションを有する場合には、前記第２のパラメータに基づいて管理する、
基地局装置。
【請求項１７】
前記第１のパラメータは、前記中継ユーザデバイスが少なくとも一つの他のユーザ通信デバイスとの中継コネクションを有していない場合に、前記中継ユーザデバイスとの通信に対するデータスループットの総量を制御するためのパラメータを、含み、
前記第２のパラメータは、前記中継ユーザデバイスが少なくとも一つの他のユーザ通信デバイスとの中継コネクションを有する場合に、前記中継ユーザデバイスとの通信に対するデータスループットの総量を制御するための前記第１のパラメータの更新版（ｕｐｄａｔｅｄ ｖｅｒｓｉｏｎ）を、含む、
ことを特徴とした請求項１６に記載の基地局装置。
【請求項１８】
前記第１のパラメータは、前記中継ユーザデバイスが少なくとも一つの他のユーザ通信デバイスとの中継コネクションを有していない場合に、前記中継ユーザデバイスとの通信に対するデータスループットの総量を制御するためのパラメータを、含み、
前記第２のパラメータは、前記中継ユーザデバイスとの通信に対する被中継データスループットを制御するためのものであるが、非中継データスループットを制御するためのものでは無い専用パラメータを、含む、
ことを特徴とした請求項１６に記載の基地局装置。
【請求項１９】
前記第２の設定データは、前記中継ユーザデバイスが少なくとも一つの他のユーザ通信デバイスとの中継コネクションを有する場合に、前記中継ユーザデバイスとの通信に対する非中継（ネイティブ）データスループットを制御するためのものであるが、被中継（非ネイティブ）データスループットを制御するためのものでは無い更なるパラメータを、特定する、
ことを特徴とした請求項１８に記載の基地局装置。
【請求項２０】
前記第２の設定データは、前記中継ユーザデバイスが少なくとも一つの他のユーザ通信デバイスとの中継コネクションを有する場合に、前記中継ユーザデバイスとの通信に対する非中継（ネイティブ）データスループット及び被中継（非ネイティブ）データスループットの両者を制御するため更なるパラメータを、特定する、
ことを特徴とした請求項１８に記載の基地局装置。
【請求項２１】
前記制御モジュールは、前記中継ユーザデバイスが少なくとも一つの他のユーザ通信デバイスとの中継コネクションを有する場合に、前記第２のパラメータ及び前記更なるパラメータに基づき前記中継ユーザデバイスとの通信を管理する、
ことを特徴とした請求項１９又は２０に記載の基地局装置。
【請求項２２】
前記制御モジュールは、前記中継ユーザデバイスに対して伝送すべきデータパケットを処理する際、前記データパケットが被中継データ又は非中継データを含むか否かを判定し、
前記制御モジュールは、前記判定並びに前記第２及び更なるパラメータに基づき、前記中継ユーザデバイスに対する前記データパケットの伝送を管理する、
ことを特徴とした請求項１９〜２１のいずれか一項に記載の基地局装置。
【請求項２３】
前記トランシーバ回路は、前記データパケットが中継される旨を示すよう設定された情報エレメントを含む被中継データパケット、及び前記データパケットが中継されない旨を示すよう設定された情報エレメントを含む非中継（ネイティブ）データパケット、の少なくとも一方を受信し、
前記制御モジュールは、前記データパケットが、前記データパケットが中継される又はネイティブデータパケットである旨を示すよう設定された情報エレメントを含むか否かに基づいて、前記データパケットが被中継データ又は非中継データを含む否かの前記判定を行う、
ことを特徴とした請求項２２に記載の基地局装置。
【請求項２４】
前記トランシーバ回路は、前記コアネットワークから、被中継データパケット及び非中継（ネイティブ）データパケットの前記少なくとも一方を受信する、
ことを特徴とした請求項２３に記載の基地局装置。
【請求項２５】
前記データパケットが中継される旨を示すよう設定された前記情報エレメント、及び／又は前記データパケットが中継されない旨を示すよう設定された前記情報エレメントは、ＧＴＰ（ＧＰＲＳ（Ｇｅｎｅｒａｌ Ｐａｃｋｅｔ Ｒａｄｉｏ Ｓｅｒｖｉｃｅ） Ｔｕｎｎｅｌｌｉｎｇ Ｐｒｏｔｏｃｏｌ）に従った情報エレメントを含む、
ことを特徴とした請求項２４に記載の基地局装置。
【請求項２６】
前記トランシーバ回路は、前記中継ユーザデバイスが少なくとも一つの他のユーザ通信デバイスとの中継コネクションを有する場合に、前記中継ユーザデバイスから、被中継データパケット及び非中継（ネイティブ）データパケットの前記少なくとも一方を受信する、
ことを特徴とした請求項２３に記載の基地局装置。
【請求項２７】
前記データパケットが中継される旨を示すよう設定された前記情報エレメント、及び／又は前記データパケットが中継されない旨を示すよう設定された前記情報エレメントは、ＰＤＣＰ（Ｐａｃｋｅｔ Ｄａｔａ Ｃｏｎｖｅｒｇｅｎｃｅ Ｐｒｏｔｏｃｏｌ）に従った、ＰＤＣＰヘッダのフィールド等の情報エレメントを含む、
ことを特徴とした請求項２６に記載の基地局装置。
【請求項２８】
前記データパケットが中継される旨を示すよう設定された前記情報エレメント、及び／又は前記データパケットが中継されない旨を示すよう設定された前記情報エレメントは、ＭＡＣ（Ｍｅｄｉａ Ａｃｃｅｓｓ Ｃｏｎｔｒｏｌ）プロトコルに従った、ＭＡＣ制御エレメント等の情報エレメントを含む、
ことを特徴とした請求項２６又は２７に記載の基地局装置。
【請求項２９】
前記トランシーバ回路は、前記中継ユーザデバイスから、
被中継データ通信用の通信リソースの割当の要求であって、当該要求が被中継データ通信のためのものである旨を示すよう設定された情報エレメントを含む要求、及び
非中継（ネイティブ）データ通信用の通信リソースの割当の要求であって、当該要求が非中継（ネイティブ）データ通信のためのものである旨を示すよう設定された情報エレメントを含む要求、
の少なくとも一方を受信し、
前記データパケットが被中継データ又は非中継データを含む否かの前記判定は、通信リソースの割当の前記要求に応じて、前記データパケットが、被中継データを伝送するために割り当てられたリソースを用いて伝送されるか、或いは非中継（ネイティブ）データを伝送するために割り当てられたリソースを用いて伝送されるかに基づく、
ことを特徴とした請求項２２〜２８のいずれか一項に記載の基地局装置。
【請求項３０】
前記制御モジュールは、前記要求に応じてリソースを割り当てると共に、前記要求中の前記情報エレメントに基づき、被中継データ通信用に割り当てた通信リソース及び非中継（ネイティブ）データ通信用に割り当てた通信リソースの少なくとも一方を特定する情報を、維持する、
ことを特徴とした請求項２２〜２９のいずれか一項に記載の基地局装置。
【請求項３１】
前記制御モジュールは、前記中継ユーザデバイスに対して伝送すべきデータパケットを処理する際、前記データパケットを、前記ＧＴＰに従い、且つ前記データパケットが中継される旨を示すように設定及び／又は前記データパケットが中継されない旨を示すように設定された更なる情報エレメントを含めることによって、変更し、
前記トランシーバ回路は、前記変更されたデータパケットを前記コアネットワークへ転送する、
ことを特徴とした請求項２９又は３０に記載の基地局装置。
【請求項３２】
前記情報エレメント及び／又は前記更なる情報エレメントは、
ＧＴＰバージョン番号、
前記データパケットが中継されるか否かを示すためのフラグ、
ＧＴＰメッセージ種別を特定する情報、
ＧＴＰ拡張ヘッダの有無を特定する情報、及び
ＧＴＰ拡張ヘッダ、
の少なくとも一つを含む、
ことを特徴とした請求項２５又は３１に記載の基地局装置。
【請求項３３】
前記第１のパラメータは、第１のＡＭＢＲ（ａｇｇｒｅｇａｔｅ ｍａｘｉｍｕｍ ｂｉｔ ｒａｔｅ）パラメータを含み、
前記第２のパラメータは、第２のＡＭＢＲパラメータを含む、
ことを特徴とした請求項１６〜３２のいずれか一項に記載の基地局装置。
【請求項３４】
前記第２の設定データは、
前記中継ユーザデバイスが少なくとも一つの他のユーザ通信デバイスとの中継コネクションを有していない場合に、前記中継ユーザデバイスに対する通信用のダウンリンクデータスループットを制御するための第２のパラメータ、及び
前記中継ユーザデバイスが少なくとも一つの他のユーザ通信デバイスとの中継コネクションを有していない場合に、前記中継ユーザデバイスに対する通信用のアップリンクデータスループットを制御するための第２のパラメータ、
の少なくとも一方を特定する、
ことを特徴とした請求項１６〜３３のいずれか一項に記載の基地局装置。
【請求項３５】
コアネットワークエンティティ及び中継ユーザデバイスと通信するトランシーバ回路と、
前記中継ユーザデバイスとの通信を管理する制御モジュールと、を備え、
前記トランシーバ回路は、前記コアネットワークエンティティから、
前記中継ユーザデバイスが少なくとも一つの他のユーザ通信デバイスとの中継コネクションを有していない場合に、前記中継ユーザデバイスとの通信に対するデータスループットを制御するための第１のパラメータを特定する第１の設定データを、受信し、
前記中継ユーザデバイスが少なくとも一つの他のユーザ通信デバイスとの中継コネクションを有する場合には、前記中継ユーザデバイスとの通信に対するデータスループットを制御するための第２のパラメータを特定する第２の設定データを受信し、
前記制御モジュールは、前記中継ユーザデバイスとの通信を、
前記中継ユーザデバイスが少なくとも一つの他のユーザ通信デバイスとの中継コネクションを有していない場合に、前記第１のパラメータに基づいて管理し、
前記中継ユーザデバイスが少なくとも一つの他のユーザ通信デバイスとの中継コネクションを有する場合には、前記第２のパラメータに基づいて管理する、
アクセスポイント。
【請求項３６】
前記第１のパラメータは、前記中継ユーザデバイスが少なくとも一つの他のユーザ通信デバイスとの中継コネクションを有していない場合に、前記中継ユーザデバイスとの通信に対するデータスループットの総量を制御するためのパラメータを、含み、
前記第２のパラメータは、前記中継ユーザデバイスが少なくとも一つの他のユーザ通信デバイスとの中継コネクションを有する場合に、前記中継ユーザデバイスとの通信に対するデータスループットの総量を制御するための前記第１のパラメータの更新版を、含む、
ことを特徴とした請求項３５に記載のアクセスポイント。
【請求項３７】
前記第１のパラメータは、前記中継ユーザデバイスが少なくとも一つの他のユーザ通信デバイスとの中継コネクションを有していない場合に、前記中継ユーザデバイスとの通信に対するデータスループットの総量を制御するためのパラメータを、含み、
前記第２のパラメータは、前記中継ユーザデバイスとの通信に対する被中継データスループットを制御するためのものであるが、非中継データスループットを制御するためのものでは無い専用パラメータを、含む、
ことを特徴とした請求項３５に記載のアクセスポイント。
【請求項３８】
前記第２の設定データは、前記中継ユーザデバイスが少なくとも一つの他のユーザ通信デバイスとの中継コネクションを有する場合に、前記中継ユーザデバイスとの通信に対する非中継（ネイティブ）データスループットを制御するためのものであるが、被中継（非ネイティブ）データスループットを制御するためのものでは無い更なるパラメータを、特定する、
ことを特徴とした請求項３７に記載のアクセスポイント。
【請求項３９】
前記第２の設定データは、前記中継ユーザデバイスが少なくとも一つの他のユーザ通信デバイスとの中継コネクションを有する場合に、前記中継ユーザデバイスとの通信に対する非中継（ネイティブ）データスループット及び被中継（非ネイティブ）データスループットの両者を制御するため更なるパラメータを、特定する、
ことを特徴とした請求項３７に記載のアクセスポイント。
【請求項４０】
前記制御モジュールは、前記中継ユーザデバイスに対して伝送すべきデータパケットを処理する際、前記データパケットが被中継データ又は非中継データを含むか否かを判定し、
前記制御モジュールは、前記判定並びに前記第２及び更なるパラメータに基づき、前記中継ユーザデバイスに対する前記データパケットの伝送を管理する、
ことを特徴とした請求項３８又は３９に記載のアクセスポイント。
【請求項４１】
前記制御モジュールは、前記データパケットを前記中継ユーザデバイスへ転送するに際して、前記データパケットに、
ｉ）前記データパケットが被中継データを含むと判定された場合に、前記データパケットが中継される旨を示すよう設定された情報エレメント、
ｉｉ）前記データパケットが非中継データを含むと判定された場合には、前記データパケットがネイティブパケットである旨を示すよう設定された情報エレメント、
を追加する、
ことを特徴とした請求項４０に記載のアクセスポイント。
【請求項４２】
前記第１のパラメータは、第１のＡＭＢＲ（ａｇｇｒｅｇａｔｅ ｍａｘｉｍｕｍ ｂｉｔ ｒａｔｅ）パラメータを含み、
前記第２のパラメータは、第２のＡＭＢＲパラメータを含む、
ことを特徴とした請求項３５〜４１のいずれか一項に記載のアクセスポイント。
【請求項４３】
前記第２の設定データは、
前記中継ユーザデバイスが少なくとも一つの他のユーザ通信デバイスとの中継コネクションを有していない場合に、前記中継ユーザデバイスに対する通信用のダウンリンクデータスループットを制御するための第２のパラメータ、及び
前記中継ユーザデバイスが少なくとも一つの他のユーザ通信デバイスとの中継コネクションを有していない場合に、前記中継ユーザデバイスに対する通信用のアップリンクデータスループットを制御するための第２のパラメータ、
の少なくとも一方を特定する、
ことを特徴とした請求項３５〜４２のいずれか一項に記載のアクセスポイント。
【請求項４４】
中継ユーザデバイスに対する通信を制御するためのパラメータを保持する保持手段と、
情報を、前記中継ユーザデバイスとコアネットワークとの間の通信を制御するＭＭＥ（ｍｏｂｉｌｉｔｙ ｍａｎａｇｅｍｅｎｔ ｅｎｔｉｔｙ）へ提供するトランシーバ回路と、を備え、
前記パラメータは、
前記中継ユーザデバイスが少なくとも一つの他のユーザ通信デバイスとの中継コネクションを有していない場合に、前記中継ユーザデバイスに対する通信用のデータスループットを制御するための第１のパラメータを、含み、
前記中継ユーザデバイスが少なくとも一つの他のユーザ通信デバイスとの中継コネクションを有する場合には、前記中継ユーザデバイスに対する通信用のデータスループットを制御するための第２のパラメータを、含む、
コアネットワークノード。
【請求項４５】
前記保持手段は、
前記中継ユーザデバイスが少なくとも一つの他のユーザ通信デバイスとの中継コネクションを有していない場合に、前記中継ユーザデバイスに対する通信用のダウンリンクデータスループットを制御するための第２のパラメータ、及び
前記中継ユーザデバイスが少なくとも一つの他のユーザ通信デバイスとの中継コネクションを有していない場合に、前記中継ユーザデバイスに対する通信用のアップリンクデータスループットを制御するための第２のパラメータ、
の少なくとも一方を保持する、
ことを特徴とした請求項４４に記載のコアネットワークノード。
【請求項４６】
基地局及び少なくとも一つの他のユーザデバイスと通信するトランシーバ回路であって、前記基地局への中継のために、前記少なくとも一つの他のユーザデバイスからデータパケットを受信し、前記受信したデータパケットを、被中継データパケットとして前記基地局へ送信するトランシーバ回路と、
前記被中継データパケットに、当該データパケットが被中継データパケットである旨を特定する情報を、含める包含手段と、
を備えた中継ユーザデバイス。
【請求項４７】
前記包含手段は、前記被中継データパケットが被中継データパケットである旨を特定する前記情報を、ＰＤＣＰ（Ｐａｃｋｅｔ Ｄａｔａ Ｃｏｎｖｅｒｇｅｎｃｅ Ｐｒｏｔｏｃｏｌ）シグナリングのフィールドに含める、
ことを特徴とした請求項４６に記載の中継ユーザデバイス。
【請求項４８】
コアネットワークにおけるアクセスポイントであって、
中継ユーザデバイスと通信するトランシーバ回路であり、データパケットを受信して、前記データパケットを、前記中継ユーザデバイスに接続される他のユーザデバイスへ送信するトランシーバ回路と、
前記送信するデータパケットに、当該データパケットが被中継データパケットである旨を特定する情報を含める包含手段と、
を備えたアクセスポイント。
【請求項４９】
コアネットワークにおけるアクセスポイントであって、
中継ユーザデバイスと通信するトランシーバ回路であり、データパケットを前記中継ユーザデバイスから受信するトランシーバ回路と、
前記受信したデータパケットのデータパケットを処理する際に、前記データパケットが被中継データパケットであるか否かを判定する制御モジュールと、を備え、
前記制御モジュールは、前記判定に基づき、前記中継ユーザデバイスに対する通信を管理する、
アクセスポイント。
【請求項５０】
前記トランシーバ回路は、前記中継ユーザデバイスが他のユーザ通信デバイスとの中継コネクションを有する場合、前記中継ユーザデバイスとの通信に対するデータスループットを制御するためのパラメータを特定する設定データを、取得し、
前記制御モジュールは、前記データパケットが被中継データパケットであると判定した場合、前記パラメータに基づき、前記中継ユーザデバイスに対する通信を管理する、
ことを特徴とした請求項４８又は４９に記載のアクセスポイント。
【請求項５１】
前記情報エレメントは、
ＧＴＰバージョン番号、
前記データパケットが中継されるか否かを示すためのフラグ、
ＧＴＰメッセージ種別を特定する情報、
ＧＴＰ拡張ヘッダの有無を特定する情報、及び
ＧＴＰ拡張ヘッダ、
の少なくとも一つを含む、
ことを特徴とした請求項４８〜５０のいずれか一項に記載のアクセスポイント。
【手続補正２】
【補正対象書類名】明細書
【補正対象項目名】発明の名称
【補正方法】変更
【補正の内容】
【発明の名称】コアネットワークノード、基地局装置、アクセスポイント及び中継ユーザデバイス